(57)【要約】【課題】子機のみに比較的大型のＬＣＤを搭載し、親機には比較的大型のＬＣＤを搭載せずとも、親機にて文字メッセージを出力することが可能な通信装置の提供を目的とする。【解決手段】文字メッセージを記憶する内部メモリ２７と、子機４からの要求に応じて内部メモリ３７から文字メッセージを取得するＳＭＳデータ制御部２６と、子機４からの要求に応じて取得した文字メッセージを子機４へ送信する無線部２４と、文字メッセージの印刷要求を取得するキー入力制御部３３と、子機４からの要求に応じて取得した文字メッセージを、キー入力制御部３３により取得した印刷要求に応じて印刷する印刷制御部３４手段とを有する親機１と、親機１に接続され、この親機１から文字メッセージを受信し、ＬＣＤ４５に表示する機能を備えた子機４とからなる。【選択図】図１
2005252777.tif 000002
【特許請求の範囲】
【請求項１】
公衆回線に接続され、前記公衆回線から文字メッセージを受信する機能を備えた親機と、同親機に接続され、この親機から前記文字メッセージを受信し、表示する機能を備えた子機とからなる電話装置において、
前記親機は、前記子機へ送信して前記子機にて表示した文字メッセージを印刷する機能を備えたものであることを特徴とする電話装置。
【請求項２】
前記親機は、前記文字メッセージを記憶する記憶手段と、前記子機からの要求に応じて前記記憶手段から文字メッセージを取得する手段と、前記子機からの要求に応じて取得した文字メッセージを前記子機へ送信する手段と、文字メッセージの印刷要求を取得する手段と、前記子機からの要求に応じて取得した文字メッセージを前記取得した印刷要求に応じて印刷する手段とを有することを特徴とする請求項１記載の電話装置。
【発明の詳細な説明】
【技術分野】
【０００１】
本発明は、親機および子機からなる電話装置に関し、より詳しくは公衆回線から親機にて文字メッセージを受信し、子機にて表示する通信装置に関する。
【背景技術】
【０００２】
公衆回線を介して送信された文字メッセージを受信し、表示する、いわゆるショートメッセージサービス（ＳＭＳ）機能を搭載した親機および子機からなる電話装置が知られている。このようなＳＭＳ機能を搭載した従来の電話装置は、親機および子機に比較的大型な液晶表示装置（ＬＣＤ）を搭載しており、親機および子機のいずれでも受信した文字メッセージの表示を可能としている（例えば、非特許文献１参照。）。
【非特許文献１】パナソニック（Panasonic）、“デジタルコードレス留守番電話システム（Digital Cordless Answering System）  操作説明書（Operating Instructions）  モデルナンバ（Model No.）ＫＸ−ＴＣＤ５４５Ｅ”、タイ国、２００３年９月、ｐ．５２−６３
【発明の開示】
【発明が解決しようとする課題】
【０００３】
ところが、従来の構成では、親機および子機の両方に比較的大型のＬＣＤを搭載しているため、その製造コストが嵩み、高価なシステム構成となってしまうという問題がある。
【０００４】
そこで、本発明では、子機のみに比較的大型のＬＣＤを搭載し、親機には比較的大型のＬＣＤを搭載せずとも、親機にて文字メッセージを出力することが可能な通信装置を提供することを目的とする。
【課題を解決するための手段】
【０００５】
上記課題を解決するため、本発明の電話装置は、公衆回線に接続され、公衆回線から文字メッセージを受信する機能を備えた親機と、この親機に接続され、この親機から文字メッセージを受信し、表示する機能を備えた子機とからなる電話装置において、親機は、子機へ送信して子機にて表示した文字メッセージを印刷する機能を備えたものであることを特徴とする。
【発明の効果】
【０００６】
本発明によれば、親機は、公衆回線から受信した文字メッセージを子機へ送信して子機に表示させるとともに、この子機へ送信して子機にて表示した文字メッセージを印刷することにより、子機のみに比較的大型のＬＣＤを搭載し、親機には比較的大型のＬＣＤを搭載せずとも、親機にて文字メッセージを出力することが可能となる。
【発明を実施するための最良の形態】
【０００７】
本発明の第１の発明は、公衆回線に接続され、公衆回線から文字メッセージを受信する機能を備えた親機と、親機に接続され、この親機から文字メッセージを受信し、表示する機能を備えた子機とからなる電話装置において、親機は、子機へ送信して子機にて表示した文字メッセージを印刷する機能を備えたものであることを特徴とする電話装置である。本発明によれば、親機は、公衆回線から受信した文字メッセージを子機へ送信して子機に表示させるとともに、この子機へ送信して子機にて表示した文字メッセージを印刷する。これにより、子機のみに比較的大型のＬＣＤを搭載し、親機には比較的大型のＬＣＤを搭載せずとも、親機にて文字メッセージを出力することが可能となる。
【０００８】
本発明の第２の発明は、上記親機は、文字メッセージを記憶する記憶手段と、子機からの要求に応じて記憶手段から文字メッセージを取得する手段と、子機からの要求に応じて取得した文字メッセージを子機へ送信する手段と、文字メッセージの印刷要求を取得する手段と、子機からの要求に応じて取得した文字メッセージを取得した印刷要求に応じて印刷する手段とを有することを特徴とする電話装置としたものである。本発明によれば、親機は、子機からの要求に応じて取得し、子機へ送信した文字メッセージを把握していることから、印刷要求に応じてこの文字メッセージを印刷することができる。
【０００９】
以下、本発明の実施の形態について、図面を参照して説明する。
【００１０】
（実施の形態１）
図１は本発明の実施の形態における電話装置のブロック図である。
【００１１】
図１において、本発明の実施の形態における電話装置は、ＳＭＳ機能を搭載したものであり、公衆回線に接続される親機１と、この親機に接続される子機４とからなる。また、親機１は、公衆回線および子機４との間で通信を行うための主回路２と、主回路２と通信を行うとともに用紙へのデータの印刷を行うための印刷回路３とを備える。
【００１２】
親機１の主回路２は、公衆回線に接続するためのジャック２１に接続され、公衆回線との通信を制御する回線制御部２２と、アンテナ２３に接続され、子機４と無線通信を行うための無線部２４と、主回路２を主として制御する主制御部２５と、文字メッセージデータ（以下、「ＳＭＳデータ」と称す。）の制御を行うＳＭＳデータ制御部２６と、ＳＭＳデータを記憶する内部メモリ２７と、印刷回路３と通信を行うためのシリアル通信部２８とを備える。
【００１３】
また、親機１の印刷回路３は、主回路２と通信を行うためのシリアル通信部３１と、印刷回路３を主として制御する主制御部３２と、親機１に備えたキー（図示せず）による入力を制御するキー入力制御部３３と、用紙への印刷制御を行う印刷制御部３４とを備える。
【００１４】
一方、子機４は、アンテナ４１に接続され、親機１と無線通信を行うための無線部４２と、子機４を主として制御する主制御部４３と、子機４に備えたキー（図示せず）による入力を制御するキー入力制御部４４と、各種表示を行う表示部としてのＬＣＤ４５とを備える。
【００１５】
上記構成の電話装置による文字メッセージの印刷処理について、以下、図２から図４のフローチャートに従って説明する。
【００１６】
図２は親機１による文字メッセージの受信フローを示す図である。
【００１７】
親機１は、回線制御部２２にて公衆回線からＳＭＳデータを判定し（Ｓ１０１）、主制御部２５にてＳＭＳデータ制御部２６を起動する（Ｓ１０２）。そして、親機１は、ＳＭＳデータ制御部２６にてＳＭＳデータを受信し（Ｓ１０３）、受信したＳＭＳデータを内部メモリ２７に記憶する（Ｓ１０４）。
【００１８】
図３は親機１の内部メモリ２７に記憶したＳＭＳデータの個別印刷処理を示すフローチャート、図４は図３の子機表示処理（Ｓ２０１）の詳細を示すフローチャートである。
【００１９】
ＳＭＳデータの個別印刷処理を行う場合、まず所望の文字メッセージを子機４にて表示する（Ｓ２０１）。
【００２０】
ここで、図４に示すように、子機４では、キー入力制御部４４にて子機４のキー入力を検知し（Ｓ２１１）、この検知したキー入力に基づいて主制御部４３にてＳＭＳデータの表示要求を出す（Ｓ２１２）。子機４の無線部４２は、このＳＭＳデータの表示要求を無線通信にて親機１へ通知する（Ｓ２１３）。
【００２１】
親機１は、無線部２４にてこのＳＭＳデータの表示要求を受理し（Ｓ２１４）、主制御部２５にてＳＭＳデータ制御部２６を起動する（Ｓ２１５）。ＳＭＳデータ制御部２６は、この子機４からの要求に応じて内部メモリ２７からＳＭＳデータを読み出す（Ｓ２１６）。無線部２４は、この読み出したＳＭＳデータを子機４へ送信する（Ｓ２１７）。
【００２２】
子機４は、無線部４２にてこの送信されたＳＭＳデータを受信し（Ｓ２１８）、主制御部４３は、この受信したＳＭＳデータをＬＣＤ４５へ表示する（Ｓ２１９）。
【００２３】
図３に戻って、ここで、親機１の印刷回路３は、キー入力制御部３３にて親機１のキー入力を検知すると（Ｓ２０２）、主制御部３２にて個別印刷要求を出す（Ｓ２０３）。親機１は、シリアル通信部３１にて主回路２に対し、この個別印刷要求を出す（Ｓ２０４）。
【００２４】
親機１の主回路２は、シリアル通信部２８にてこの個別印刷要求を受信すると（Ｓ２０５）、ＳＭＳデータ制御部２６にて、現在子機２で参照中のＳＭＳデータをシリアル通信部２８に渡す（Ｓ２０６）。主回路２のシリアル通信部２８は、このＳＭＳデータを印刷回路３に送信する（Ｓ２０７）。
【００２５】
親機１の印刷回路３は、シリアル通信部３１にてこのＳＭＳデータを受信する（Ｓ２０８）。印刷回路３の主制御部３２は、印刷制御部３４を起動し、このＳＭＳデータを渡す（Ｓ２０９）。印刷制御部３４は、用紙への印刷制御を行い、印刷を実行する（Ｓ２１０）。
【００２６】
以上のように、本実施の形態における電話装置では、親機１が、公衆回線から受信したＳＭＳデータを子機４へ送信して子機４のＬＣＤ４５に表示させるとともに、この子機４へ送信して子機４にて表示したＳＭＳデータを印刷制御部３４により用紙へ印刷することができる。これにより、子機４のみに比較的大型のＬＣＤ４５を搭載すれば良く、親機１には比較的大型のＬＣＤを搭載せずとも、親機１にて用紙へＳＭＳメッセージを出力することが可能である。
【００２７】
なお、本実施の形態においては、親機１と子機４とは無線通信により接続されるが、有線接続とすることも可能である。また、親機１の主回路２と印刷回路３との間のシリアル通信については、シリアル通信以外の通信とすることも可能であり、この場合も有線、無線を問わない。
【産業上の利用可能性】
【００２８】
本発明の通信装置は、親機および子機からなり、公衆回線から親機にて文字メッセージを受信し、子機にて表示するとともに親機にて用紙へ印刷する通信装置として有用である。特に、親機には比較的大型のＬＣＤを搭載する必要がないことから、親機側に文字メッセージの表示機能がない通信装置や、子機からの印刷指示を行わない通信装置として好適である。
【図面の簡単な説明】
【００２９】
【図１】本発明の実施の形態における電話装置のブロック図
【図２】親機による文字メッセージの受信フローを示す図
【図３】親機の内部メモリに記憶したＳＭＳデータの個別印刷処理を示すフローチャート
【図４】図３の子機表示処理の詳細を示すフローチャート
【符号の説明】
【００３０】
１    親機
２    主回路
３    印刷回路
４    子機
２１    ジャック
２２    回線制御部
２３    アンテナ
２４    無線部
２５    主制御部
２６    ＳＭＳデータ制御部
２７    内部メモリ
２８    シリアル通信部
３１    シリアル通信部
３２    主制御部
３３    キー入力制御部
３４    印刷制御部
４１    アンテナ
４２    無線部
４３    主制御部
４４    キー入力制御部
４５    ＬＣＤ
【図１】
2005252777.tif 000003
【図２】
2005252777.tif 000004
【図３】
2005252777.tif 000005
【図４】
2005252777.tif 000006